(57)【要約】      （修正有）【課題】広域水面に用いられる移動できる給餌器の提供。【解決手段】投げ入れ箱１３と移動箱２８とを含み、前記投げ入れ箱１３の頂部端面には上方へ開口した餌チャンバ１１が設置され、前記餌チャンバ１１の下方には定量チャンバ４９が連通するように設置され、前記定量チャンバ４９の中には餌の定量流動を制御できる定量部品６０が設置され、動力ロッド３１が回転して第四ベベルギヤ３７を連動させて回転させ、第四ベベルギヤ３７が第三ベベルギヤ３６との噛み合いにより中間ロッド３９と回転盤とを連動させて回転させ、更に回転盤が回転して連結ロッドによりラックを連動させて左右へ移動させ、水面で移動でき、また移動すると同時に餌を定量で投げ入れることができ、餌を投げ入れる時、投げ入れ箱を回転させることができ、投げ入れる角度を絶えず調節し、投げ入れる面積と範囲を増加し、養殖物に餌を与える均一さを保証する。【選択図】図１
2020182441.tif 000002
【特許請求の範囲】
【請求項１】
正面視で、投げ入れ箱と移動箱とを含み、前記投げ入れ箱の頂部端面には上方へ開口した餌チャンバが設置され、前記餌チャンバの下方には定量チャンバが連通するように設置され、前記定量チャンバの中には餌の定量流動を制御できる定量部品が設置され、前記定量チャンバの下方には流動チャンバが連通するように設置され、前記流動チャンバの下方には投げ入れチャンバが連通するように設置され、前記投げ入れチャンバの上方には餌を投げ入れる投げ入れ部品が設置され、
前記投げ入れ部品は前記投げ入れチャンバの中にスライドできるように装着された推し動かしブロックを含み、前記推し動かしブロックの左側端面と前記投げ入れチャンバの左側内壁との間には第一バネが固定的に装着され、前記投げ入れチャンバの上方にはバネチャンバが設置され、前記バネチャンバの中には移動ブロックがスライドできるように装着され、前記移動ブロックの左側端面と前記バネチャンバの左側内壁との間には第二バネが固定的に装着され、前記移動ブロックと前記推し動かしブロックとが固定的に連結され、前記投げ入れ部品の左側には前記投げ入れ部品に動力を提供する動力部品が設置され、前記移動箱の中には補助チャンバが設置され、前記補助チャンバの右側には連結チャンバが設置され、前記補助チャンバの中と前記連結チャンバとの間には前記投げ入れ箱を回転させることができる回転部品が設置され、前記移動箱の中にはスクリューチャンバが設置され、
前記スクリューチャンバの中には装置全体を連動させて移動させる移動部品が設置されたことを特徴とする広域水面に用いられる移動できる給餌器。
【請求項２】
前記投げ入れ部品はまた前記移動ブロックの中に設置された移動溝を含み、前記移動溝と前記回転ブロックとがスライドできるように装着されたことを特徴とする請求項１に記載の広域水面に用いられる移動できる給餌器。
【請求項３】
前記定量部品はまた前記定量チャンバの中にスライドできるように装着された定量盤を含み、前記定量盤の中には開き溝が設置されたことを特徴とする請求項１に記載の広域水面に用いられる移動できる給餌器。
【請求項４】
前記定量盤の底部端面には前記回転チャンバの頂壁を貫通している回転ロッドが固定的に装着され、前記回転ロッドの底部端面には回転ブロックが固定的に装着されたことを特徴とする請求項１に記載の広域水面に用いられる移動できる給餌器。
【請求項５】
前記動力部品はまた前記定量チャンバの下方に設置された伝動チャンバを含み、前記第二噛み合いチャンバの左側には第一噛み合いチャンバが設置され、前記第一噛み合いチャンバと前記伝動チャンバとの間には伝動ロッドが回転できるように装着され、前記伝動ロッドの頂部端面には第一ギヤが固定的に装着され、前記回転ロッドには第二ギヤが固定的に装着され、前記第二ギヤと前記第一ギヤとの間にはチェーンが伝動できるように装着され、前記伝動ロッドの底部端面には第一ベベルギヤが固定的に装着され、前記連結チャンバの下方には第二噛み合いチャンバが設置され、前記第二噛み合いチャンバの右側内壁の中にはモータが固定的に装着され、前記モータの左向きの出力軸の左側端面には動力ロッドが固定的に装着され、前記動力ロッドが左方へ伸びて前記スクリューチャンバの右側内壁を貫通しており、前記動力ロッドのうち前記第一噛み合いチャンバの中に位置しているところには第二ベベルギヤが固定的に装着され、前記第二ベベルギヤが前記第一ベベルギヤと噛み合っていることを特徴とする請求項１に記載の広域水面に用いられる移動できる給餌器。
【請求項６】
前記回転部品はまた前記補助チャンバの頂壁の中に回転できるように装着された補助ブロックを含み、前記補助ブロックの頂部端面が前記投げ入れ箱の底部端面と固定的に連結され、前記補助ブロックの中には抜き孔が設置され、前記伝動ロッドが前記抜き孔を通り抜けており、前記補助ブロックには第三ギヤが固定的に装着され、前記補助チャンバの後側内壁にはラックチャンバが連通するように設置され、前記ラックチャンバの中にはラックがスライドできるように装着され、前記ラックが前記第三ギヤと噛み合っていることを特徴とする請求項１に記載の広域水面に用いられる移動できる給餌器。
【請求項７】
前記第二噛み合いチャンバと前記連結チャンバとの間には中間ロッドが回転できるように装着され、前記中間ロッドの頂部端面には回転盤が固定的に装着され、前記回転盤の頂部端面には連結ブロックが固定的に装着され、前記連結ブロックには連結ロッドが回転できるように装着され、前記連結ロッドと前記ラックとがヒンジにより装着され、前記中間ロッドの底部端面には第三ベベルギヤが固定的に装着され、前記動力ロッドのうち前記第二噛み合いチャンバの中に位置しているところには第四ベベルギヤが固定的に装着され、前記第四ベベルギヤが前記第三ベベルギヤと噛み合っていることを特徴とする請求項１に記載の広域水面に用いられる移動できる給餌器。
【請求項８】
前記移動部品はまた前記動力ロッドの左側端面に固定的に装着されたスクリューを含むことを特徴とする請求項１に記載の広域水面に用いられる移動できる給餌器。
【発明の詳細な説明】
【技術分野】
【０００１】
本発明は養殖業分野を取り上げて、具体的には広域水面に用いられる移動できる給餌器である。
【背景技術】
【０００２】
水産養殖をする時、水産に餌を投げ入れる必要があり、一般的な給餌器が岸に固定されて水産に餌を投げ入れ、しかも投げ入れる位置と角度を変えにくく、投げ入れる範囲も狭く、全ての養殖物に餌を投げ入れることができない。
【先行技術文献】
【特許文献】
【０００３】
【特許文献１】中国特許出願公開第１０４４２７８６５号明細書
【発明の概要】
【発明が解決しようとする課題】
【０００４】
本発明は広域水面に用いられる移動できる給餌器を提供し、従来技術における上記欠点を解消することを目的とする。
【課題を解決するための手段】
【０００５】
本発明の実施例の広域水面に用いられる移動できる給餌器は、投げ入れ箱と移動箱とを含み、前記投げ入れ箱の頂部端面には上方へ開口した餌チャンバが設置され、前記餌チャンバの下方には定量チャンバが連通するように設置され、前記定量チャンバの中には餌の定量流動を制御できる定量部品が設置され、前記定量チャンバの下方には流動チャンバが連通するように設置され、前記流動チャンバの下方には投げ入れチャンバが連通するように設置され、前記投げ入れチャンバの上方には餌を投げ入れる投げ入れ部品が設置され、
前記投げ入れ部品は前記投げ入れチャンバの中にスライドできるように装着された推し動かしブロックを含み、前記推し動かしブロックの左側端面と前記投げ入れチャンバの左側内壁との間には第一バネが固定的に装着され、前記投げ入れチャンバの上方にはバネチャンバが設置され、前記バネチャンバの中には移動ブロックがスライドできるように装着され、前記移動ブロックの左側端面と前記バネチャンバの左側内壁との間には第二バネが固定的に装着され、前記移動ブロックと前記推し動かしブロックとが固定的に連結され、前記投げ入れ部品の左側には前記投げ入れ部品に動力を提供する動力部品が設置され、前記移動箱の中には補助チャンバが設置され、前記補助チャンバの右側には連結チャンバが設置され、前記補助チャンバの中と前記連結チャンバとの間には前記投げ入れ箱を回転させることができる回転部品が設置され、前記移動箱の中にはスクリューチャンバが設置され、
前記スクリューチャンバの中には装置全体を連動させて移動させる移動部品が設置された。
【０００６】
上記の技術プランに基づいて、前記投げ入れ部品はまた前記移動ブロックの中に設置された移動溝を含み、前記移動溝と前記回転ブロックとがスライドできるように装着された。
【０００７】
上記の技術プランに基づいて、前記定量部品はまた前記定量チャンバの中にスライドできるように装着された定量盤を含み、前記定量盤の中には開き溝が設置された。
【０００８】
上記の技術プランに基づいて、前記定量盤の底部端面には前記回転チャンバの頂壁を貫通している回転ロッドが固定的に装着され、前記回転ロッドの底部端面には回転ブロックが固定的に装着された。
【０００９】
上記の技術プランに基づいて、前記動力部品はまた前記定量チャンバの下方に設置された伝動チャンバを含み、前記第二噛み合いチャンバの左側には第一噛み合いチャンバが設置され、前記第一噛み合いチャンバと前記伝動チャンバとの間には伝動ロッドが回転できるように装着され、前記伝動ロッドの頂部端面には第一ギヤが固定的に装着され、前記回転ロッドには第二ギヤが固定的に装着され、前記第二ギヤと前記第一ギヤとの間にはチェーンが伝動できるように装着され、前記伝動ロッドの底部端面には第一ベベルギヤが固定的に装着され、前記連結チャンバの下方には第二噛み合いチャンバが設置され、前記第二噛み合いチャンバの右側内壁の中にはモータが固定的に装着され、前記モータの左向きの出力軸の左側端面には動力ロッドが固定的に装着され、前記動力ロッドが左方へ伸びて前記スクリューチャンバの右側内壁を貫通しており、前記動力ロッドのうち前記第一噛み合いチャンバの中に位置しているところには第二ベベルギヤが固定的に装着され、前記第二ベベルギヤが前記第一ベベルギヤと噛み合っている。
【００１０】
上記の技術プランに基づいて、前記回転部品はまた前記補助チャンバの頂壁の中に回転できるように装着された補助ブロックを含み、前記補助ブロックの頂部端面が前記投げ入れ箱の底部端面と固定的に連結され、前記補助ブロックの中には抜き孔が設置され、前記伝動ロッドが前記抜き孔を通り抜けており、前記補助ブロックには第三ギヤが固定的に装着され、前記補助チャンバの後側内壁にはラックチャンバが連通するように設置され、前記ラックチャンバの中にはラックがスライドできるように装着され、前記ラックが前記第三ギヤと噛み合っている。
【００１１】
上記の技術プランに基づいて、前記第二噛み合いチャンバと前記連結チャンバとの間には中間ロッドが回転できるように装着され、前記中間ロッドの頂部端面には回転盤が固定的に装着され、前記回転盤の頂部端面には連結ブロックが固定的に装着され、前記連結ブロックには連結ロッドが回転できるように装着され、前記連結ロッドと前記ラックとがヒンジにより装着され、前記中間ロッドの底部端面には第三ベベルギヤが固定的に装着され、前記動力ロッドのうち前記第二噛み合いチャンバの中に位置しているところには第四ベベルギヤが固定的に装着され、前記第四ベベルギヤが前記第三ベベルギヤと噛み合っている。
【００１２】
上記の技術プランに基づいて、前記移動部品はまた前記動力ロッドの左側端面に固定的に装着されたスクリューを含む。
【発明の効果】
【００１３】
本発明の有益効果は：本発明は水面で移動でき、また移動すると同時に餌を定量で投げ入れることができ、餌を投げ入れる時、投げ入れ箱を回転させることができ、投げ入れる角度を絶えず調節し、投げ入れる面積と範囲を増加し、養殖物に餌を与える均一さを保証し、普及する価値がある。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成模式図
【図２】図２は図１の中のＡ―Ａ方向の断面構成模式図
【図３】図３は図１の中のＢ―Ｂ方向の断面構成模式図
【図４】図４は図１の中のＣのところの拡大模式図
【図５】図５は図４の中のＤ―Ｄ方向の断面構成模式図
【発明を実施するための形態】
【００１６】
図１〜５を参照し、本発明の実施例の広域水面に用いられる移動できる給餌器は、投げ入れ箱１３と移動箱２８とを含み、前記投げ入れ箱１３の頂部端面には上方へ開口した餌チャンバ１１が設置され、前記餌チャンバ１１の下方には定量チャンバ４９が連通するように設置され、前記定量チャンバ４９の中には餌の定量流動を制御できる定量部品６０が設置され、前記定量チャンバ４９の下方には流動チャンバ４７が連通するように設置され、前記流動チャンバ４７の下方には投げ入れチャンバ４２が連通するように設置され、前記投げ入れチャンバ４２の上方には餌を投げ入れる投げ入れ部品７０が設置され、前記投げ入れ部品７０は前記投げ入れチャンバ４２の中にスライドできるように装着された推し動かしブロック４１を含み、前記推し動かしブロック４１の左側端面と前記投げ入れチャンバ４２の左側内壁との間には第一バネ２１が固定的に装着され、前記投げ入れチャンバ４２の上方にはバネチャンバ２０が設置され、前記バネチャンバ２０の中には移動ブロック４３がスライドできるように装着され、前記移動ブロック４３の左側端面と前記バネチャンバ２０の左側内壁との間には第二バネ１９が固定的に装着され、前記移動ブロック４３と前記推し動かしブロック４１とが固定的に連結され、前記投げ入れ部品７０の左側には前記投げ入れ部品７０に動力を提供する動力部品７５が設置され、前記移動箱２８の中には補助チャンバ２７が設置され、前記補助チャンバ２７の右側には連結チャンバ４０が設置され、前記補助チャンバ２７の中と前記連結チャンバ４０との間には前記投げ入れ箱１３を回転させることができる回転部品８０が設置され、前記移動箱２８の中にはスクリューチャンバ２９が設置され、前記スクリューチャンバ２９の中には装置全体を連動させて移動させる移動部品８５が設置された。
【００１７】
他に、一つの実施例の中、前記投げ入れ部品７０はまた前記移動ブロック４３の中に設置された移動溝４４を含み、前記移動溝４４と前記回転ブロック４５とがスライドできるように装着され、これにより回転ブロック４５が回転する時、移動ブロック４３と推し動かしブロック４１とを連動させて左方へ移動させ、回転ブロック４５が移動溝４４の後側内壁まで回転した後、移動溝４４の後側内壁から滑り出て、移動ブロック４３と推し動かしブロック４１とが第二バネ１９と第一バネ２１とにより右方へ移動し、そして餌を投げ入れる。
【００１８】
他に、一つの実施例の中、前記定量部品６０はまた前記定量チャンバ４９の中にスライドできるように装着された定量盤５０を含み、前記定量盤５０の中には開き溝１４が設置され、これにより開き溝１４が餌チャンバ１１の下方まで回転する時、餌が開き溝１４により流動チャンバ４７の中に入る。
【００１９】
他に、一つの実施例の中、前記定量盤５０の底部端面には前記回転チャンバ４６の頂壁を貫通している回転ロッド１２が固定的に装着され、前記回転ロッド１２の底部端面には回転ブロック４５が固定的に装着され、これにより回転ロッド１２が回転して定量盤５０と回転ブロック４５とを連動させて回転させ、定量部品６０と投げ入れ部品７０に動力を提供する。
【００２０】
他に、一つの実施例の中、前記動力部品７５はまた前記定量チャンバ４９の下方に設置された伝動チャンバ１６を含み、前記第二噛み合いチャンバ３５の左側には第一噛み合いチャンバ３２が設置され、前記第一噛み合いチャンバ３２と前記伝動チャンバ１６との間には伝動ロッド１８が回転できるように装着され、前記伝動ロッド１８の頂部端面には第一ギヤ１７が固定的に装着され、前記回転ロッド１２には第二ギヤ４８が固定的に装着され、前記第二ギヤ４８と前記第一ギヤ１７との間にはチェーン１５が伝動できるように装着され、前記伝動ロッド１８の底部端面には第一ベベルギヤ３３が固定的に装着され、前記連結チャンバ４０の下方には第二噛み合いチャンバ３５が設置され、前記第二噛み合いチャンバ３５の右側内壁の中にはモータ３８が固定的に装着され、前記モータ３８の左向きの出力軸の左側端面には動力ロッド３１が固定的に装着され、前記動力ロッド３１が左方へ伸びて前記スクリューチャンバ２９の右側内壁を貫通しており、前記動力ロッド３１のうち前記第一噛み合いチャンバ３２の中に位置しているところには第二ベベルギヤ３４が固定的に装着され、前記第二ベベルギヤ３４が前記第一ベベルギヤ３３と噛み合っており、これによりモータ３８が起動して動力ロッド３１と第二ベベルギヤ３４とを連動させて回転させ、第二ベベルギヤ３４が第一ベベルギヤ３３との噛み合いにより伝動ロッド１８と第一ギヤ１７とを連動させて回転させ、第一ギヤ１７がチェーン１５の伝動により第二ギヤ４８の回転を連動させ、第二ギヤ４８が回転して回転ロッド１２を回転させ、更に投げ入れ部品７０と定量部品６０に動力を提供する。
【００２１】
他に、一つの実施例の中、前記回転部品８０はまた前記補助チャンバ２７の頂壁の中に回転できるように装着された補助ブロック２３を含み、前記補助ブロック２３の頂部端面が前記投げ入れ箱１３の底部端面と固定的に連結され、前記補助ブロック２３の中には抜き孔２２が設置され、前記伝動ロッド１８が前記抜き孔２２を通り抜けており、前記補助ブロック２３には第三ギヤ２４が固定的に装着され、前記補助チャンバ２７の後側内壁にはラックチャンバ２６が連通するように設置され、前記ラックチャンバ２６の中にはラック２５がスライドできるように装着され、前記ラック２５が前記第三ギヤ２４と噛み合っており、これによりラック２５が左右へ移動する時、ラック２５が第三ギヤ２４を連動させて回転させ、第三ギヤ２４が回転して補助ブロック２３を連動させて回転させ、更に投げ入れ箱１３を連動させて回転させる。
【００２２】
他に、一つの実施例の中、前記第二噛み合いチャンバ３５と前記連結チャンバ４０との間には中間ロッド３９が回転できるように装着され、前記中間ロッド３９の頂部端面には回転盤５３が固定的に装着され、前記回転盤５３の頂部端面には連結ブロック５２が固定的に装着され、前記連結ブロック５２には連結ロッド５１が回転できるように装着され、前記連結ロッド５１と前記ラック２５とがヒンジにより装着され、前記中間ロッド３９の底部端面には第三ベベルギヤ３６が固定的に装着され、前記動力ロッド３１のうち前記第二噛み合いチャンバ３５の中に位置しているところには第四ベベルギヤ３７が固定的に装着され、前記第四ベベルギヤ３７が前記第三ベベルギヤ３６と噛み合っており、これにより動力ロッド３１が回転して第四ベベルギヤ３７を連動させて回転させ、第四ベベルギヤ３７が第三ベベルギヤ３６との噛み合いにより中間ロッド３９と回転盤５３とを連動させて回転させ、更に回転盤５３が回転して連結ロッド５１によりラック２５を連動させて左右へ移動させる。
【００２３】
他に、一つの実施例の中、前記移動部品８５はまた前記動力ロッド３１の左側端面に固定的に装着されたスクリュー３０を含み、これにより動力ロッド３１が回転してスクリュー３０を連動させて回転させ、装置全体の移動に動力を提供する。
【００２４】
使用する時、モータ３８が起動して動力ロッド３１と第二ベベルギヤ３４とを連動させて回転させ、第二ベベルギヤ３４が第一ベベルギヤ３３との噛み合いにより伝動ロッド１８と第一ギヤ１７とを連動させて回転させ、第一ギヤ１７がチェーン１５の伝動により第二ギヤ４８の回転を連動させ、第二ギヤ４８が回転して回転ロッド１２を回転させ、回転ロッド１２が回転して定量盤５０と回転ブロック４５とを連動させて回転させ、開き溝１４が餌チャンバ１１の下方まで回転する時、餌が開き溝１４により流動チャンバ４７の中に入り、回転ブロック４５が回転して移動ブロック４３と推し動かしブロック４１とを連動させて左方へ移動させ、回転ブロック４５が移動溝４４の後側内壁まで回転した後、移動溝４４の後側内壁から滑り出て、移動ブロック４３と推し動かしブロック４１とが第二バネ１９と第一バネ２１とにより右方へ移動し、そして餌を投げ入れ、動力ロッド３１が回転して第四ベベルギヤ３７を連動させて回転させ、第四ベベルギヤ３７が第三ベベルギヤ３６との噛み合いにより中間ロッド３９と回転盤５３とを連動させて回転させ、更に回転盤５３が回転して連結ロッド５１によりラック２５を連動させて左右へ移動させ、ラック２５が左右へ移動する時、ラック２５が第三ギヤ２４を連動させて回転させ、第三ギヤ２４が回転して補助ブロック２３を連動させて回転させ、動力ロッド３１が回転してスクリュー３０を連動させて回転させ、装置全体の移動を連動させる。
【００２５】
本発明の有益効果は：本発明は水面で移動でき、また移動すると同時に餌を定量で投げ入れることができ、餌を投げ入れる時、投げ入れ箱を回転させることができ、投げ入れる角度を絶えず調節し、投げ入れる面積と範囲を増加し、養殖物に餌を与える均一さを保証し、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182441.tif 000003
【図２】
2020182441.tif 000004
【図３】
2020182441.tif 000005
【図４】
2020182441.tif 000006
【図５】
2020182441.tif 000007
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、投げ入れ箱と移動箱とを含み、前記投げ入れ箱の頂部端面には上方へ開口した餌チャンバが設置され、前記餌チャンバの下方には定量チャンバが連通するように設置され、前記定量チャンバの中には餌の定量流動を制御できる定量部品が設置され、前記定量チャンバの下方には流動チャンバが連通するように設置され、前記流動チャンバの下方には投げ入れチャンバが連通するように設置され、前記投げ入れチャンバの上方には餌を投げ入れる投げ入れ部品が設置され、
前記投げ入れ部品は前記投げ入れチャンバの中にスライドできるように装着された推し動かしブロックを含み、前記推し動かしブロックの左側端面と前記投げ入れチャンバの左側内壁との間には第一バネが固定的に装着され、前記投げ入れチャンバの上方にはバネチャンバが設置され、前記バネチャンバの中には移動ブロックがスライドできるように装着され、前記移動ブロックの左側端面と前記バネチャンバの左側内壁との間には第二バネが固定的に装着され、前記移動ブロックと前記推し動かしブロックとが固定的に連結され、前記投げ入れ部品の左側には前記投げ入れ部品に動力を提供する動力部品が設置され、前記移動箱の中には補助チャンバが設置され、前記補助チャンバの右側には連結チャンバが設置され、前記補助チャンバの中と前記連結チャンバとの間には前記投げ入れ箱を回転させることができる回転部品が設置され、前記移動箱の中にはスクリューチャンバが設置され、
前記スクリューチャンバの中には装置全体を連動させて移動させる移動部品が設置されたことを特徴とする広域水面に用いられる移動できる給餌器。
【請求項２】
前記投げ入れ部品はまた前記移動ブロックの中に設置された移動溝を含み、前記移動溝と回転ブロックとがスライドできるように装着されたことを特徴とする請求項１に記載の広域水面に用いられる移動できる給餌器。
【請求項３】
前記定量部品はまた前記定量チャンバの中にスライドできるように装着された定量盤を含み、前記定量盤の中には開き溝が設置されたことを特徴とする請求項１に記載の広域水面に用いられる移動できる給餌器。
【請求項４】
前記定量盤の底部端面には前記回転チャンバの頂壁を貫通している回転ロッドが固定的に装着され、前記回転ロッドの底部端面には回転ブロックが固定的に装着されたことを特徴とする請求項３に記載の広域水面に用いられる移動できる給餌器。
【請求項５】
前記動力部品は伝動チャンバと伝動ロッドと第一ギヤと第二ギヤとチェーンと第一ベベルギヤと動力ロッドと第二噛み合いチャンバとモータと第二ベベルギヤから構成され、
前記動力部品はまた前記定量チャンバの下方に設置された前記伝動チャンバを含み、前記第二噛み合いチャンバの左側には第一噛み合いチャンバが設置され、前記第一噛み合いチャンバと前記伝動チャンバとの間には前記伝動ロッドが回転できるように装着され、前記伝動ロッドの頂部端面には前記第一ギヤが固定的に装着され、前記回転ロッドには前記第二ギヤが固定的に装着され、前記第二ギヤと前記第一ギヤとの間には前記チェーンが伝動できるように装着され、前記伝動ロッドの底部端面には前記第一ベベルギヤが固定的に装着され、前記連結チャンバの下方には前記第二噛み合いチャンバが設置され、前記第二噛み合いチャンバの右側内壁の中には前記モータが固定的に装着され、前記モータの左向きの出力軸の左側端面には前記動力ロッドが固定的に装着され、前記動力ロッドが左方へ伸びて前記スクリューチャンバの右側内壁を貫通しており、前記動力ロッドのうち前記第一噛み合いチャンバの中に位置しているところには前記第二ベベルギヤが固定的に装着され、前記第二ベベルギヤが前記第一ベベルギヤと噛み合っていることを特徴とする請求項４に記載の広域水面に用いられる移動できる給餌器。
【請求項６】
前記回転部品はまた前記補助チャンバの頂壁の中に回転できるように装着された補助ブロックを含み、前記補助ブロックの頂部端面が前記投げ入れ箱の底部端面と固定的に連結され、前記補助ブロックの中には抜き孔が設置され、前記伝動ロッドが前記抜き孔を通り抜けており、前記補助ブロックには第三ギヤが固定的に装着され、前記補助チャンバの後側内壁にはラックチャンバが連通するように設置され、前記ラックチャンバの中にはラックがスライドできるように装着され、前記ラックが前記第三ギヤと噛み合っていることを特徴とする請求項５に記載の広域水面に用いられる移動できる給餌器。
【請求項７】
前記第二噛み合いチャンバと前記連結チャンバとの間には中間ロッドが回転できるように装着され、前記中間ロッドの頂部端面には回転盤が固定的に装着され、前記回転盤の頂部端面には連結ブロックが固定的に装着され、前記連結ブロックには連結ロッドが回転できるように装着され、前記連結ロッドと前記ラックとがヒンジにより装着され、前記中間ロッドの底部端面には第三ベベルギヤが固定的に装着され、前記動力ロッドのうち前記第二噛み合いチャンバの中に位置しているところには第四ベベルギヤが固定的に装着され、前記第四ベベルギヤが前記第三ベベルギヤと噛み合っていることを特徴とする請求項６に記載の広域水面に用いられる移動できる給餌器。
【請求項８】
前記移動部品はまた前記動力ロッドの左側端面に固定的に装着されたスクリューを含むことを特徴とする請求項７に記載の広域水面に用いられる移動できる給餌器。
【手続補正２】
【補正対象書類名】明細書
【補正対象項目名】全文
【補正方法】変更
【補正の内容】
【発明の詳細な説明】
【技術分野】
【０００１】
本発明は養殖業分野を取り上げて、具体的には広域水面に用いられる移動できる給餌器である。
【背景技術】
【０００２】
水産養殖をする時、水産に餌を投げ入れる必要があり、一般的な給餌器が岸に固定されて水産に餌を投げ入れ、しかも投げ入れる位置と角度を変えにくく、投げ入れる範囲も狭く、全ての養殖物に餌を投げ入れることができない。
【先行技術文献】
【特許文献】
【０００３】
【特許文献１】中国特許出願公開第１０４４２７８６５号明細書
【発明の概要】
【発明が解決しようとする課題】
【０００４】
本発明は広域水面に用いられる移動できる給餌器を提供し、従来技術における上記欠点を解消することを目的とする。
【課題を解決するための手段】
【０００５】
本発明の実施例の広域水面に用いられる移動できる給餌器は、投げ入れ箱と移動箱とを含み、前記投げ入れ箱の頂部端面には上方へ開口した餌チャンバが設置され、前記餌チャンバの下方には定量チャンバが連通するように設置され、前記定量チャンバの中には餌の定量流動を制御できる定量部品が設置され、前記定量チャンバの下方には流動チャンバが連通するように設置され、前記流動チャンバの下方には投げ入れチャンバが連通するように設置され、前記投げ入れチャンバの上方には餌を投げ入れる投げ入れ部品が設置され、前記投げ入れ部品は前記投げ入れチャンバの中にスライドできるように装着された推し動かしブロックを含み、前記推し動かしブロックの左側端面と前記投げ入れチャンバの左側内壁との間には第一バネが固定的に装着され、前記投げ入れチャンバの上方にはバネチャンバが設置され、前記バネチャンバの中には移動ブロックがスライドできるように装着され、前記移動ブロックの左側端面と前記バネチャンバの左側内壁との間には第二バネが固定的に装着され、前記移動ブロックと前記推し動かしブロックとが固定的に連結され、前記投げ入れ部品の左側には前記投げ入れ部品に動力を提供する動力部品が設置され、前記移動箱の中には補助チャンバが設置され、前記補助チャンバの右側には連結チャンバが設置され、前記補助チャンバの中と前記連結チャンバとの間には前記投げ入れ箱を回転させることができる回転部品が設置され、前記移動箱の中にはスクリューチャンバが設置され、
前記スクリューチャンバの中には装置全体を連動させて移動させる移動部品が設置された。
【０００６】
上記の技術プランに基づいて、前記投げ入れ部品はまた前記移動ブロックの中に設置された移動溝を含み、前記移動溝と回転ブロックとがスライドできるように装着された。
【０００７】
上記の技術プランに基づいて、前記定量部品はまた前記定量チャンバの中にスライドできるように装着された定量盤を含み、前記定量盤の中には開き溝が設置された。
【０００８】
上記の技術プランに基づいて、前記定量盤の底部端面には前記回転チャンバの頂壁を貫通している回転ロッドが固定的に装着され、前記回転ロッドの底部端面には回転ブロックが固定的に装着された。
【０００９】
上記の技術プランに基づいて、前記動力部品は伝動チャンバと伝動ロッドと第一ギヤと第二ギヤとチェーンと第一ベベルギヤと動力ロッドと第二噛み合いチャンバとモータと第二ベベルギヤから構成され、前記動力部品はまた前記定量チャンバの下方に設置された前記伝動チャンバを含み、前記第二噛み合いチャンバの左側には第一噛み合いチャンバが設置され、前記第一噛み合いチャンバと前記伝動チャンバとの間には前記伝動ロッドが回転できるように装着され、前記伝動ロッドの頂部端面には前記第一ギヤが固定的に装着され、前記回転ロッドには前記第二ギヤが固定的に装着され、前記第二ギヤと前記第一ギヤとの間には前記チェーンが伝動できるように装着され、前記伝動ロッドの底部端面には前記第一ベベルギヤが固定的に装着され、前記連結チャンバの下方には前記第二噛み合いチャンバが設置され、前記第二噛み合いチャンバの右側内壁の中には前記モータが固定的に装着され、前記モータの左向きの出力軸の左側端面には前記動力ロッドが固定的に装着され、前記動力ロッドが左方へ伸びて前記スクリューチャンバの右側内壁を貫通しており、前記動力ロッドのうち前記第一噛み合いチャンバの中に位置しているところには前記第二ベベルギヤが固定的に装着され、前記第二ベベルギヤが前記第一ベベルギヤと噛み合っている。
【００１０】
上記の技術プランに基づいて、前記回転部品はまた前記補助チャンバの頂壁の中に回転できるように装着された補助ブロックを含み、前記補助ブロックの頂部端面が前記投げ入れ箱の底部端面と固定的に連結され、前記補助ブロックの中には抜き孔が設置され、前記伝動ロッドが前記抜き孔を通り抜けており、前記補助ブロックには第三ギヤが固定的に装着され、前記補助チャンバの後側内壁にはラックチャンバが連通するように設置され、前記ラックチャンバの中にはラックがスライドできるように装着され、前記ラックが前記第三ギヤと噛み合っている。
【００１１】
上記の技術プランに基づいて、前記第二噛み合いチャンバと前記連結チャンバとの間には中間ロッドが回転できるように装着され、前記中間ロッドの頂部端面には回転盤が固定的に装着され、前記回転盤の頂部端面には連結ブロックが固定的に装着され、前記連結ブロックには連結ロッドが回転できるように装着され、前記連結ロッドと前記ラックとがヒンジにより装着され、前記中間ロッドの底部端面には第三ベベルギヤが固定的に装着され、前記動力ロッドのうち前記第二噛み合いチャンバの中に位置しているところには第四ベベルギヤが固定的に装着され、前記第四ベベルギヤが前記第三ベベルギヤと噛み合っている。
【００１２】
上記の技術プランに基づいて、前記移動部品はまた前記動力ロッドの左側端面に固定的に装着されたスクリューを含む。
【発明の効果】
【００１３】
本発明の有益効果は：本発明は水面で移動でき、また移動すると同時に餌を定量で投げ入れることができ、餌を投げ入れる時、投げ入れ箱を回転させることができ、投げ入れる角度を絶えず調節し、投げ入れる面積と範囲を増加し、養殖物に餌を与える均一さを保証し、普及する価値がある。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成模式図
【図２】図２は図１の中のＡ―Ａ方向の断面構成模式図
【図３】図３は図１の中のＢ―Ｂ方向の断面構成模式図
【図４】図４は図１の中のＣのところの拡大模式図
【図５】図５は図４の中のＤ―Ｄ方向の断面構成模式図
【発明を実施するための形態】
【００１６】
図１〜５を参照し、本発明の実施例の広域水面に用いられる移動できる給餌器は、投げ入れ箱１３と移動箱２８とを含み、前記投げ入れ箱１３の頂部端面には上方へ開口した餌チャンバ１１が設置され、前記餌チャンバ１１の下方には定量チャンバ４９が連通するように設置され、前記定量チャンバ４９の中には餌の定量流動を制御できる定量部品６０が設置され、前記定量チャンバ４９の下方には流動チャンバ４７が連通するように設置され、前記流動チャンバ４７の下方には投げ入れチャンバ４２が連通するように設置され、前記投げ入れチャンバ４２の上方には餌を投げ入れる投げ入れ部品７０が設置され、前記投げ入れ部品７０は前記投げ入れチャンバ４２の中にスライドできるように装着された推し動かしブロック４１を含み、前記推し動かしブロック４１の左側端面と前記投げ入れチャンバ４２の左側内壁との間には第一バネ２１が固定的に装着され、前記投げ入れチャンバ４２の上方にはバネチャンバ２０が設置され、前記バネチャンバ２０の中には移動ブロック４３がスライドできるように装着され、前記移動ブロック４３の左側端面と前記バネチャンバ２０の左側内壁との間には第二バネ１９が固定的に装着され、前記移動ブロック４３と前記推し動かしブロック４１とが固定的に連結され、前記投げ入れ部品７０の左側には前記投げ入れ部品７０に動力を提供する動力部品７５が設置され、前記移動箱２８の中には補助チャンバ２７が設置され、前記補助チャンバ２７の右側には連結チャンバ４０が設置され、前記補助チャンバ２７の中と前記連結チャンバ４０との間には前記投げ入れ箱１３を回転させることができる回転部品８０が設置され、前記移動箱２８の中にはスクリューチャンバ２９が設置され、前記スクリューチャンバ２９の中には装置全体を連動させて移動させる移動部品８５が設置された。
【００１７】
他に、一つの実施例の中、前記投げ入れ部品７０はまた前記移動ブロック４３の中に設置された移動溝４４を含み、前記移動溝４４と回転ブロック４５とがスライドできるように装着され、これにより回転ブロック４５が回転する時、移動ブロック４３と推し動かしブロック４１とを連動させて左方へ移動させ、回転ブロック４５が移動溝４４の後側内壁まで回転した後、移動溝４４の後側内壁から滑り出て、移動ブロック４３と推し動かしブロック４１とが第二バネ１９と第一バネ２１とにより右方へ移動し、そして餌を投げ入れる。
【００１８】
他に、一つの実施例の中、前記定量部品６０はまた前記定量チャンバ４９の中にスライドできるように装着された定量盤５０を含み、前記定量盤５０の中には開き溝１４が設置され、これにより開き溝１４が餌チャンバ１１の下方まで回転する時、餌が開き溝１４により流動チャンバ４７の中に入る。
【００１９】
他に、一つの実施例の中、前記定量盤５０の底部端面には前記回転チャンバ４６の頂壁を貫通している回転ロッド１２が固定的に装着され、前記回転ロッド１２の底部端面には回転ブロック４５が固定的に装着され、これにより回転ロッド１２が回転して定量盤５０と回転ブロック４５とを連動させて回転させ、定量部品６０と投げ入れ部品７０に動力を提供する。
【００２０】
他に、一つの実施例の中、前記動力部品７５はまた前記定量チャンバ４９の下方に設置された伝動チャンバ１６を含み、前記連結チャンバ４０の下方には第二噛み合いチャンバ３５が設置され、前記第二噛み合いチャンバ３５の左側には第一噛み合いチャンバ３２が設置され、前記第一噛み合いチャンバ３２と前記伝動チャンバ１６との間には伝動ロッド１８が回転できるように装着され、前記伝動ロッド１８の頂部端面には第一ギヤ１７が固定的に装着され、前記回転ロッド１２には第二ギヤ４８が固定的に装着され、前記第二ギヤ４８と前記第一ギヤ１７との間にはチェーン１５が伝動できるように装着され、前記伝動ロッド１８の底部端面には第一ベベルギヤ３３が固定的に装着され、前記第二噛み合いチャンバ３５の右側内壁の中にはモータ３８が固定的に装着され、前記モータ３８の左向きの出力軸の左側端面には動力ロッド３１が固定的に装着され、前記動力ロッド３１が左方へ伸びて前記スクリューチャンバ２９の右側内壁を貫通しており、前記動力ロッド３１のうち前記第一噛み合いチャンバ３２の中に位置しているところには第二ベベルギヤ３４が固定的に装着され、前記第二ベベルギヤ３４が前記第一ベベルギヤ３３と噛み合っており、これによりモータ３８が起動して動力ロッド３１と第二ベベルギヤ３４とを連動させて回転させ、第二ベベルギヤ３４が第一ベベルギヤ３３との噛み合いにより伝動ロッド１８と第一ギヤ１７とを連動させて回転させ、第一ギヤ１７がチェーン１５の伝動により第二ギヤ４８の回転を連動させ、第二ギヤ４８が回転して回転ロッド１２を回転させ、更に投げ入れ部品７０と定量部品６０に動力を提供する。
【００２１】
他に、一つの実施例の中、前記回転部品８０はまた前記補助チャンバ２７の頂壁の中に回転できるように装着された補助ブロック２３を含み、前記補助ブロック２３の頂部端面が前記投げ入れ箱１３の底部端面と固定的に連結され、前記補助ブロック２３の中には抜き孔２２が設置され、前記伝動ロッド１８が前記抜き孔２２を通り抜けており、前記補助ブロック２３には第三ギヤ２４が固定的に装着され、前記補助チャンバ２７の後側内壁にはラックチャンバ２６が連通するように設置され、前記ラックチャンバ２６の中にはラック２５がスライドできるように装着され、前記ラック２５が前記第三ギヤ２４と噛み合っており、これによりラック２５が左右へ移動する時、ラック２５が第三ギヤ２４を連動させて回転させ、第三ギヤ２４が回転して補助ブロック２３を連動させて回転させ、更に投げ入れ箱１３を連動させて回転させる。
【００２２】
他に、一つの実施例の中、前記第二噛み合いチャンバ３５と前記連結チャンバ４０との間には中間ロッド３９が回転できるように装着され、前記中間ロッド３９の頂部端面には回転盤５３が固定的に装着され、前記回転盤５３の頂部端面には連結ブロック５２が固定的に装着され、前記連結ブロック５２には連結ロッド５１が回転できるように装着され、前記連結ロッド５１と前記ラック２５とがヒンジにより装着され、前記中間ロッド３９の底部端面には第三ベベルギヤ３６が固定的に装着され、前記動力ロッド３１のうち前記第二噛み合いチャンバ３５の中に位置しているところには第四ベベルギヤ３７が固定的に装着され、前記第四ベベルギヤ３７が前記第三ベベルギヤ３６と噛み合っており、これにより動力ロッド３１が回転して第四ベベルギヤ３７を連動させて回転させ、第四ベベルギヤ３７が第三ベベルギヤ３６との噛み合いにより中間ロッド３９と回転盤５３とを連動させて回転させ、更に回転盤５３が回転して連結ロッド５１によりラック２５を連動させて左右へ移動させる。
【００２３】
他に、一つの実施例の中、前記移動部品８５はまた前記動力ロッド３１の左側端面に固定的に装着されたスクリュー３０を含み、これにより動力ロッド３１が回転してスクリュー３０を連動させて回転させ、装置全体の移動に動力を提供する。
【００２４】
使用する時、モータ３８が起動して動力ロッド３１と第二ベベルギヤ３４とを連動させて回転させ、第二ベベルギヤ３４が第一ベベルギヤ３３との噛み合いにより伝動ロッド１８と第一ギヤ１７とを連動させて回転させ、第一ギヤ１７がチェーン１５の伝動により第二ギヤ４８の回転を連動させ、第二ギヤ４８が回転して回転ロッド１２を回転させ、回転ロッド１２が回転して定量盤５０と回転ブロック４５とを連動させて回転させ、開き溝１４が餌チャンバ１１の下方まで回転する時、餌が開き溝１４により流動チャンバ４７の中に入り、回転ブロック４５が回転して移動ブロック４３と推し動かしブロック４１とを連動させて左方へ移動させ、回転ブロック４５が移動溝４４の後側内壁まで回転した後、移動溝４４の後側内壁から滑り出て、移動ブロック４３と推し動かしブロック４１とが第二バネ１９と第一バネ２１とにより右方へ移動し、そして餌を投げ入れ、動力ロッド３１が回転して第四ベベルギヤ３７を連動させて回転させ、第四ベベルギヤ３７が第三ベベルギヤ３６との噛み合いにより中間ロッド３９と回転盤５３とを連動させて回転させ、更に回転盤５３が回転して連結ロッド５１によりラック２５を連動させて左右へ移動させ、ラック２５が左右へ移動する時、ラック２５が第三ギヤ２４を連動させて回転させ、第三ギヤ２４が回転して補助ブロック２３を連動させて回転させ、動力ロッド３１が回転してスクリュー３０を連動させて回転させ、装置全体の移動を連動させる。
【００２５】
本発明の有益効果は：本発明は水面で移動でき、また移動すると同時に餌を定量で投げ入れることができ、餌を投げ入れる時、投げ入れ箱を回転させることができ、投げ入れる角度を絶えず調節し、投げ入れる面積と範囲を増加し、養殖物に餌を与える均一さを保証し、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。